(57)【要約】【課題】  旅先などで増えた荷物を収納するための拡張部を備える鞄を提供する。【解決手段】  拡張機能を有する鞄１であって、該鞄１の前身頃２４及び後身頃２６と、該鞄１の底部と、前身頃２４及び後身頃２６と底部２８との境目に沿って設けられた襠部開閉用ジッパ１０４を介して拡張可能に構成された襠部３４と、を備え、襠部開閉用ジッパ１０４の２つのエレメント１０４２，１０４４の一端が互いに分離することのないように襠部開閉用ジッパ１０４の下止め３６が設けられていることを特徴とする、拡張機能を有する鞄１を提供する。【選択図】  図５
0003221521.tif 000002
【実用新案登録請求の範囲】
【請求項１】
拡張機能を有する鞄であって、
該鞄の前身頃及び後身頃と、
上記前身頃及び後身頃に隣接した底部と、
上記前身頃及び後身頃と、上記底部との境目に沿って設けられた襠部開閉用ジッパを介して拡張可能に構成された襠部と、
を備え、
上記襠部開閉用ジッパが全開となったときに上記底部が回動して上記襠部が拡張され得るように、上記境目の一部において上記後身頃と上記底部とが直接に繋がっていることを特徴とする、拡張機能を有する鞄。
【請求項２】
拡張機能を有する鞄であって、
該鞄の前身頃及び後身頃と、
上記前身頃及び後身頃に隣接した底部と、
上記前身頃及び後身頃と、上記底部との境目に沿って設けられた襠部開閉用ジッパを介して拡張可能に構成された襠部と、
を備え、
上記襠部開閉用ジッパが全開となったときに上記襠部開閉用ジッパの２つのエレメントの全体が互いに分離するように構成されていることを特徴とする、拡張機能を有する鞄。
【請求項３】
拡張機能を有する鞄であって、
該鞄の前身頃及び後身頃と、
上記前身頃及び後身頃に隣接した底部と、
上記前身頃及び後身頃と、上記底部との境目に沿って設けられた襠部開閉用ジッパを介して拡張可能に構成された襠部と、
を備え、
上記襠部開閉用ジッパが全開となったときにも上記襠部開閉用ジッパの２つのエレメントの一端が互いに分離することのないように上記襠部開閉用ジッパの下止めが設けられていることを特徴とする、拡張機能を有する鞄。
【請求項４】
上記襠部の側面が、折り畳み可能な蛇腹状の形状に形成されていることを特徴とする、請求項１〜３のいずれかに記載の拡張機能を有する鞄。
【請求項５】
上記前身頃又は後身頃の所定の位置に設けられた収納ポケットをさらに備え、
上記収納ポケットの内側面と外側面とが反転された場合にも上記収納ポケットの開口を開閉することができるように、上記収納ポケットの開口に沿ってリバーシブルオープン・ファスナが設けられていることを特徴とする、請求項１〜４のいずれかに記載の拡張機能を有する鞄。
【請求項６】
上記収納ポケットの内側面と外側面とに同じ生地が採用されていることを特徴とする、請求項５に記載の拡張機能を有する鞄。
【考案の詳細な説明】
【技術分野】
【０００１】
本考案は、収納スペースを拡張させる機能を有する鞄に関し、特には、前身頃及び後身頃と、底部との境目に沿って設けられたジッパを介して拡張可能に構成された襠（まち）部を有する鞄に関する。
【背景技術】
【０００２】
様々な用途に合わせて種々の型式の鞄が使用されており、昨今においては、通勤用や普段使いにリュックサックないしバックパック型式の鞄を使用する人も増えている。しかし、混雑した電車等の乗り物内において中型又は大型のリュックを背負ったままの人がいると、そのリュックが乗り物内の大きな空間を占めてしまい、周囲の乗客に迷惑となることがある。
【０００３】
小型のリュック（いわゆるミニリュック）型式の鞄については、占める空間が比較的小さいため、乗り物内でこれを背負った人がいても、周囲の乗客の迷惑となることは少ない。一方で、鞄内の収納スペースがあまりに小さいと、旅先で土産物などが思いのほか増えたときに、鞄内に収納できずに困ることがある。必要に応じて収納スペースを拡張させることのできる鞄が求められている。
【先行技術文献】
【特許文献】
【０００４】
【特許文献１】特開２０１８−３３５８８号公報
【特許文献２】実用新案登録第３２０６０１２号公報
【考案の概要】
【考案が解決しようとする課題】
【０００５】
特許文献１に示されているように、これまでにも拡張機能を有する鞄は提案されている。しかし、従来の拡張機能を有する鞄については、拡張部を拡張させるための手順が複雑で、拡張させるのに手間取る人も少なくない。
【０００６】
そこで、鞄の底部から重力を利用して襠部を拡張させるものがあれば、便利であろう。すなわち、前身頃及び後身頃と底部との境目に沿って設けられたジッパを介して襠（まち）部が設けられていれば、ジッパを開くだけで襠部が重力の助けを借りて拡張し得るので、誰でも簡単に拡張させることができるものとなる。
【課題を解決するための手段】
【０００７】
本考案の一実施例においては、拡張機能を有する鞄であって、該鞄の前身頃及び後身頃と、上記前身頃及び後身頃に隣接した底部と、前身頃及び後身頃と底部との境目に沿って設けられた襠部開閉用ジッパを介して拡張可能に構成された襠部と、を備え、襠部開閉用ジッパが全開となったときに底部が回動して襠部が拡張され得るように、境目の一部において上記後身頃と上記底部とが直接に繋がっていることを特徴とする、拡張機能を有する鞄を提供する。
【０００８】
本考案の他の実施例においては、拡張機能を有する鞄であって、該鞄の前身頃及び後身頃と、上記前身頃及び後身頃に隣接した底部と、前身頃及び後身頃と底部との境目に沿って設けられた襠部開閉用ジッパを介して拡張可能に構成された襠部と、を備え、襠部開閉用ジッパが全開となったときに襠部開閉用ジッパの２つのエレメントの全体が互いに分離するように構成されていることを特徴とする、拡張機能を有する鞄を提供する。
【０００９】
本考案のさらに他の実施例においては、拡張機能を有する鞄であって、該鞄の前身頃及び後身頃と、上記前身頃及び後身頃に隣接した底部と、前身頃及び後身頃と底部との境目に沿って設けられた襠部開閉用ジッパを介して拡張可能に構成された襠部と、を備え、襠部開閉用ジッパが全開となったときにも襠部開閉用ジッパの２つのエレメントの一端が互いに分離することのないように襠部開閉用ジッパの下止めが設けられていることを特徴とする、拡張機能を有する鞄を提供する。
【００１０】
また、襠部の側面が、折り畳み可能な蛇腹状の形状に形成されていることを特徴とする。
【００１１】
また、前身頃又は後身頃の所定の位置に設けられた収納ポケットをさらに備え、収納ポケットの内側面と外側面とが反転された場合にも収納ポケットの開口を開閉することができるように、収納ポケットの開口に沿ってリバーシブルオープン・ファスナが設けられていることを特徴とする。
【００１２】
また、収納ポケットの内側面と外側面とに同じ生地が採用されていることを特徴とする。
【図面の簡単な説明】
【００１３】
【図１】本考案の拡張機能を有する鞄を示す図。
【図２】第１の実施例における鞄（リュック）の正面図及び側面図。
【図３】図２に示した鞄（リュック）の背面側を示す図。
【図４】第２の実施例における鞄（リュック）の正面図及び側面図。
【図５】第３の実施例における鞄（リュック）の正面図及び側面図。
【図６】鞄（リュック）の形態からポーチの形態へ変形させる方法を説明する図。
【図７】使用者が本考案のリュック型式の鞄を使用している様子を示す斜視図。
【図８】使用者が本考案の鞄を使用している様子を示す斜視図。
【考案を実施するための形態】
【００１４】
本考案の拡張機能を有する鞄について、添付の図を参照しつつ詳細に説明する。
【００１５】
図１に示されているように、本考案の鞄１は、前身頃２４、後身頃２６（図１に示さず）、底部８、荷物の収納部２、持ち手６、前身頃２４又は後身頃の所定の位置に設けられた収納ポケット１２、収納ポケット開閉用ジッパ１４、及び２本の背負いベルト２０によって構成されている。荷物の収納部２と収納ポケット１２は、各ジッパに設けられたスライダ２２，２２’が摺動されることにより開閉され得る。
【００１６】
一実施例においては、本考案の鞄１はさらに、収納ポケット開閉用ジッパ１４として、収納ポケット１２の表側からも裏側からも操作可能なリバーシブルオープン・ファスナ（ジッパ）を備える。
【００１７】
図２は、本考案の第１の実施例における鞄１を示す。図２（ａ）は鞄１の正面図であり、図２（ｂ）は鞄１の側面図である。一実施例においては、鞄１は、前身頃２４及び後身頃２６の下辺３２と、底部２８との境目に沿って設けられた襠部開閉用ジッパ１００を介して拡張可能に構成された襠部３４を備える。
【００１８】
襠部開閉用ジッパ１００が全開となったときに、底部２８が回動するように開いて（図２（ｂ）に回動方向が両矢印で示されている）襠部３４が拡張され得るように、鞄１の背面側で後身頃２６と底部２８とが直接に繋がっている。
【００１９】
図３は、図２に示した鞄１の背面を示す。図３に示されているように、鞄１の背面側に位置する後身頃２６の下辺に沿って襠部開閉用ジッパ１００が延在しておらず、背面側で後身頃２６と底部２８とが直接に繋がっている。
【００２０】
図４は、本考案の第２の実施例における鞄１を示す。図４（ａ）は鞄１の正面図であり、図４（ｂ）は鞄１の側面図である。この鞄１は、該鞄１の前身頃２４及び後身頃２６と、底部２８と、前身頃２４及び後身頃２６と底部２８との境目に沿って設けられた襠部開閉用ジッパ１０２を介して拡張可能に構成された襠部３４と、を備え、襠部開閉用ジッパ１０２が全開となったときに該襠部開閉用ジッパ１０２の２つのエレメント１０２２，１０２４の全体が互いに分離するように構成されている。
【００２１】
すなわち、図４に示されている実施例においては、鞄１の使用者が、前身頃２４及び後身頃２６の下辺３２と、底部２８との境目に沿って設けられた襠部開閉用ジッパ１０２を開く方向にスライダ３０２を摺動させると、襠部開閉用ジッパ１０２のエレメント１０２２，１０２４の噛合が解除され、襠部３４が上下方向（図４（ｂ）において両矢印で示されている方向）に拡張される。この鞄１は、襠部開閉用ジッパ１０２の２つのエレメント１０２２，１０２４の全体が互いに分離するように構成されているため、襠部３４の上下方向の拡張幅の寸法を決めるのに制限がないという利点がある。
【００２２】
図５は、本考案の第３の実施例における鞄１を示す。図５（ａ）は鞄１の正面図であり、図５（ｂ）は鞄１の側面図である。この鞄１は、該鞄１の前身頃２４及び後身頃２６と、底部２８と、前身頃２４及び後身頃２６と底部２８との境目に沿って設けられた襠部開閉用ジッパ１０４を介して拡張可能に構成された襠部３４と、を備える。
【００２３】
図５に示されている実施例においてはさらに、襠部開閉用ジッパ１０４が全開となったときにも２つのエレメント１０４２，１０４４の一端が互いに分離することのないように、襠部開閉用ジッパ１０４のスライダ３０４の下止め３６が、襠部３４の概ね水平な中央線に沿って設けられている。この下止め３６へ向けて襠部開閉用ジッパ１０４のスライダ３０４が摺動され、該ジッパ１０４のエレメント１０４２，１０４４の噛合が解除されると、襠部３４が上下方向（図５（ｂ）において両矢印で示されている方向）に拡張される。
【００２４】
拡張されたこの鞄１について使用者は、襠部開閉用ジッパ１０４の下止め３６付近の位置からスライダ３０４を摺動させるだけで、襠部３４を閉じて、底部２８の内底面上に襠部３４を折り畳まれた状態に戻すことができる。
【００２５】
一実施例においては、襠部３４の側面が、折り畳み可能な蛇腹状の形状（アコーディオンのベロー状の形状）に形成される。他の実施例においては、襠部３４は、蛇腹状の形状とは異なる折り畳み可能な形状（例えば、つづら折りの形状）に形成される場合もある。
【００２６】
図６は、鞄１の形態からポーチの形態へ変形させる方法を説明する図である。使用者は先ず、図６（ａ）に示されている鞄１の収納ポケット開閉用ジッパ（リバーシブルオープン・ファスナ）１４を開く方向にスライダ２２’を摺動させ、収納ポケット１２を開ける。次に、収納ポケット１２の内側面と外側面とを反転させつつ、鞄１の底部２８を収納ポケット１２内へ入れ込む。続いて、底部２８に隣接した前見頃２４、持ち手６、後身頃２６を順次収納ポケット１２内へ入れ込む。すると、収納ポケット１２の内側面と外側面とが反転され、収納ポケット１２の内側面４０と収納ポケット開閉用ジッパ（リバーシブルオープン・ファスナ）１４’が表側に現れる。そして使用者が、収納ポケット開閉用ジッパ１４’を閉じる方向にスライダ２２’を摺動させると、図６（ｂ）に示されているようなコンパクトなポーチ１２の形態へと変化する。
【００２７】
一実施例においては，収納ポケット１２の内側面と外側面とが反転されてポーチの形態となったときにも質感が変わらないように、収納ポケット１２の内側面と外側面とに同じ生地が採用される場合がある。他の実施例においては、収納ポケット１２の内側面と外側面とに別々の生地が使用される場合もある。
【００２８】
図７は、使用者３８がリュック型式の鞄１を背負っている様子を示す。使用者３８は、旅行の往路においては図７（ａ）に示されているように襠部３４を拡張させないでおき、旅行の復路においては図７（ｂ）に示されているように襠部３４を拡張させることにより増加した収納スペース内に、土産物等の旅先で増えた荷物を収納することができる。
【００２９】
図８は、使用者３８が鞄１を手に提げている様子を示す。使用者３８は、旅行の往路においては図８（ａ）に示されているように襠部３４を拡張させないでおき、旅行の復路においては図８（ｂ）に示されているように襠部３４を拡張させることにより増加した収納スペース内に、土産物等の旅先で増えた荷物を収納することができる。
【符号の説明】
【００３０】
１…鞄（リュックなど）
２…収納部
４…収納部開閉用ジッパ
６…持ち手
１０…襠部開閉用ジッパ
１２…収納ポケット（又はポーチ）
１４…収納ポケット開閉用ジッパ
１４’…収納ポケット開閉用ジッパ
１６…リング
１８…フック
２０…背負いベルト
２２…スライダ
２２’…スライダ
２４…前身頃
２６…後見頃
２８…底部
３０…スライダ
３２…（前身頃及び後身頃の）下辺
３４…襠部
３６…下止め
３８…使用者
４０…内側面
１００…襠部開閉用ジッパ
１０２…襠部開閉用ジッパ
１０４…襠部開閉用ジッパ
３００…スライダ
３０２…スライダ
３０４…スライダ
１００２…エレメント
１００４…エレメント
１０２２…エレメント
１０２４…エレメント
１０４２…エレメント
１０４４…エレメント
【図１】
0003221521.tif 000003
【図２】
0003221521.tif 000004
【図３】
0003221521.tif 000005
【図４】
0003221521.tif 000006
【図５】
0003221521.tif 000007
【図６】
0003221521.tif 000008
【図７】
0003221521.tif 000009
【図８】
0003221521.tif 000010